(57)【要約】      （修正有）【課題】送信側のユーザーが意図した時間帯に受信させて、受信側の受け手の都合のよくない時間帯に送信側のユーザーの端末からのメッセージの受信に起因したお知らせ音が鳴ることを回避するメッセージ送受信アプリケーションソフトウェアを提供する。【解決手段】メッセージ送受信アプリケーションソフトウェアは、メッセージが指定されて送信予約日時または所定時間後送信の条件が選択または入力されたか否かを判定する予約送信タイミング選択・入力判定ステップＳ２と、選択または入力された予約送信タイミングの条件および指定されたメッセージを保存する条件保存ステップＳ３と、現在時刻が送信予約日時になったか否か、または、現在時刻に基づいて設定時から所定時間経過したか否かを判定する時刻判定ステップＳ４と、送信予約日時になった、または、所定時間経過したと判定したとき、メッセージを送信する送信ステップＳ５とを具備している。【選択図】図２
2020024589.tif 000002
【特許請求の範囲】
【請求項１】
ユーザー端末と他の端末との間でメッセージデータを送受信するメッセージ送受信アプリケーションソフトウェアであって、
前記ユーザー端末において送信しようとする送信メッセージが指定されて送信予約日時または所定時間後送信の条件が選択または入力されたか否かを判定する予約送信タイミング選択・入力判定ステップと、
前記選択または入力された予約送信タイミングの条件および指定された送信メッセージを保存する条件保存ステップと、
前記ユーザー端末の時間制御手段にアクセスして現在時刻が送信予約日時になったか否か、または、現在時刻に基づいて設定時から所定時間経過したか否かを判定する時刻判定ステップと、
前記送信予約日時になった、または、所定時間経過したと判定したとき、送信メッセージを送信する送信ステップとをユーザー端末に実行させることを特徴とするメッセージ送受信アプリケーションソフトウェア。
【請求項２】
前記ユーザー端末の表示部に表示された送信メッセージウィンドウに表示された送信予約ボタンが押されたか否かを判定する送信予約選択判定ステップと、
前記送信予約ボタンが押されたとき、送信予約日時または所定時間後送信についての複数の項目を選択自在に表示部に表示する第１条件表示ステップとをさらに具備していることを特徴とする請求項１に記載のメッセージ送受信アプリケーションソフトウェア。
【請求項３】
前記第１条件表示ステップにおいて、送信予約の時間を指定する旨の項目を選択自在に表示部に表示する構成であり、
前記送信予約の時間を指定する旨の項目が選択されると、ユーザー端末の時間制御手段の現在時刻を基準とした送信予約日時、もしくは、世界都市の標準時刻を基準とした送信予約日時を指定自在、または、所定時間後送信の所定時間を指定自在に表示部に表示する第２条件表示ステップをさらに具備していることを特徴とする請求項２に記載のメッセージ送受信アプリケーションソフトウェア。
【請求項４】
前記第１条件表示ステップにおいて、メニュー設定の旨の項目を選択自在に表示部に表示する構成であり、
前記メニュー設定の旨の項目が選択されると、送信予約ボタンが押されたときに表示される複数の項目について設定変更自在に表示する条件編集画面表示ステップをさらに具備していることを特徴とする請求項２または請求項３に記載のメッセージ送受信アプリケーションソフトウェア。
【請求項５】
前記メッセージデータが電子メールのメッセージデータであり、
前記送信予約日時または所定時間後送信の条件が選択されたとき、送信メッセージを予約送信トレイに移動して保存するトレイ移動ステップをさらに具備していることを特徴とする請求項１乃至請求項４のいずれか１つに記載のメッセージ送受信アプリケーションソフトウェア。
【請求項６】
前記ユーザー端末の表示部に表示された送信メッセージウィンドウに表示された送信予約ボタンが押されたか否かを判定する送信予約選択判定ステップと、
前記送信予約ボタンが押されたとき、ユーザー端末の時間制御手段の現在時刻を基準とした送信予約日時、もしくは、世界都市の標準時刻を基準とした送信予約日時を指定自在、または、所定時間後送信の所定時間を指定自在に表示部に表示する条件表示ステップをさらに具備していることを特徴とする請求項１に記載のメッセージ送受信アプリケーションソフトウェア。
【請求項７】
前記メッセージデータが同一の相手と同一のウィンドウで対話する形式のチャットのメッセージデータであり、
前記送信予約日時または所定時間後送信の条件が選択されたとき、送信予約が設定された旨を他の端末に対して送信する送信予約設定通知ステップをさらに具備していることを特徴とする請求項１乃至請求項４および請求項６に記載のメッセージ送受信アプリケーションソフトウェア。
【発明の詳細な説明】
【技術分野】
【０００１】
本発明は、ユーザー端末と他の端末との間でメッセージデータを送受信するメッセージ送受信アプリケーションソフトウェアに関する。
【背景技術】
【０００２】
従来、電子メールを受信するメール受信手段と、メール受信手段によって第１の電子メールを受信後に、メール受信手段によってこの第１の電子メールに関連する第２の電子メールを受信したか否かを判定する受信メール判定手段と、受信メール判定手段によって第１の電子メールと第２の電子メールとが関連する旨の判定が行われたときに、これら第１および第２の電子メールを同時に報知する報知手段とを備えることを特徴とするメール送受信装置が知られている（例えば、特許文献１）。
【先行技術文献】
【特許文献】
【０００３】
【特許文献１】特開２０１６−９２２１号公報（特に、段落００４３）
【発明の概要】
【発明が解決しようとする課題】
【０００４】
しかしながら、上述した従来のメール送受信装置は、送信側が電子メールを送信する操作を行うとすぐに送信が実行されて受信側が受信し、受信側の端末が着信通知として通知音を発する構成であったため、受信側の受け手の都合のよくない時間帯に送信側のユーザーの端末からの電子メールなどのメッセージの受信に起因したお知らせ音が鳴り、例えば、寝ている受け手を起こしてしまうなど受け手の迷惑になってしまうという問題があった。
【０００５】
そこで、本発明は、前述したような従来技術の問題を解決するものであって、すなわち、本発明の目的は、送信側のユーザーが意図した時間帯に受信させて、受信側の受け手の都合のよくない時間帯に送信側のユーザーの端末からの電子メールなどのメッセージの受信に起因したお知らせ音が鳴ることを回避するメッセージ送受信アプリケーションソフトウェアを提供することである。
【課題を解決するための手段】
【０００６】
本請求項１に係る発明は、ユーザー端末と他の端末との間でメッセージデータを送受信するメッセージ送受信アプリケーションソフトウェアであって、前記ユーザー端末において送信しようとする送信メッセージが指定されて送信予約日時または所定時間後送信の条件が選択または入力されたか否かを判定する予約送信タイミング選択・入力判定ステップと、前記選択または入力された予約送信タイミングの条件および指定された送信メッセージを保存する条件保存ステップと、前記ユーザー端末の時間制御手段にアクセスして現在時刻が送信予約日時になったか否か、または、現在時刻に基づいて設定時から所定時間経過したか否かを判定する時刻判定ステップと、前記送信予約日時になった、または、所定時間経過したと判定したとき、送信メッセージを送信する送信ステップとをユーザー端末に実行させることにより、前述した課題を解決するものである。
【０００７】
本請求項２に係る発明は、請求項１に記載されたメッセージ送受信アプリケーションソフトウェアの構成に加えて、前記ユーザー端末の表示部に表示された送信メッセージウィンドウに表示された送信予約ボタンが押されたか否かを判定する送信予約選択判定ステップと、前記送信予約ボタンが押されたとき、送信予約日時または所定時間後送信についての複数の項目を選択自在に表示部に表示する第１条件表示ステップとをさらに具備していることにより、前述した課題をさらに解決するものである。
【０００８】
本請求項３に係る発明は、請求項２に記載されたメッセージ送受信アプリケーションソフトウェアの構成に加えて、前記第１条件表示ステップにおいて、送信予約の時間を指定する旨の項目を選択自在に表示部に表示する構成であり、前記送信予約の時間を指定する旨の項目が選択されると、ユーザー端末の時間制御手段の現在時刻を基準とした送信予約日時、もしくは、世界都市の標準時刻を基準とした送信予約日時を指定自在、または、所定時間後送信の所定時間を指定自在に表示部に表示する第２条件表示ステップをさらに具備していることにより、前述した課題をさらに解決するものである。
【０００９】
本請求項４に係る発明は、請求項２または請求項３に記載されたメッセージ送受信アプリケーションソフトウェアの構成に加えて、前記第１条件表示ステップにおいて、メニュー設定の旨の項目を選択自在に表示部に表示する構成であり、前記メニュー設定の旨の項目が選択されると、送信予約ボタンが押されたときに表示される複数の項目について設定変更自在に表示する条件編集画面表示ステップをさらに具備していることにより、前述した課題をさらに解決するものである。
【００１０】
本請求項５に係る発明は、請求項１乃至請求項４のいずれか１つに記載されたメッセージ送受信アプリケーションソフトウェアの構成に加えて、前記メッセージデータが電子メールのメッセージデータであり、前記送信予約日時または所定時間後送信の条件が選択されたとき、送信メッセージを予約送信トレイに移動して保存するトレイ移動ステップをさらに具備していることにより、前述した課題をさらに解決するものである。
【００１１】
本請求項６に係る発明は、請求項１に記載されたメッセージ送受信アプリケーションソフトウェアの構成に加えて、前記ユーザー端末の表示部に表示された送信メッセージウィンドウに表示された送信予約ボタンが押されたか否かを判定する送信予約選択判定ステップと、前記送信予約ボタンが押されたとき、ユーザー端末の時間制御手段の現在時刻を基準とした送信予約日時、もしくは、世界都市の標準時刻を基準とした送信予約日時を指定自在、または、所定時間後送信の所定時間を指定自在に表示部に表示する条件表示ステップをさらに具備していることにより、前述した課題をさらに解決するものである。
【００１２】
本請求項７に係る発明は、請求項１乃至請求項４および請求項６に記載されたメッセージ送受信アプリケーションソフトウェアの構成に加えて、前記メッセージデータが同一の相手と同一のウィンドウで対話する形式のチャットのメッセージデータであり、前記送信予約日時または所定時間後送信の条件が選択されたとき、送信予約が設定された旨を他の端末に対して送信する送信予約設定通知ステップをさらに具備していることにより、前述した課題をさらに解決するものである。
【発明の効果】
【００１３】
本発明のメッセージ送受信アプリケーションソフトウェアは、ユーザー端末と他の端末との間でメッセージデータを送受信することができるばかりでなく、以下のような特有の効果を奏することができる。
【００１４】
本請求項１に係る発明のメッセージ送受信アプリケーションソフトウェアによれば、送信側であるユーザー端末において選択されたメッセージがすぐに送信されずに予約設定された日時または所定時間経過したときにメッセージデータの送信が実行されるため、受信側である他の端末においてユーザーの端末から送信されたメッセージデータをユーザー端末のユーザーが意図した時間帯に受信させることができる。
つまり、送信側のユーザーは受信側の受け手の都合を考慮して都合のよくない時間帯、例えば、深夜、夜中などの時間帯を避けて送信が実行され、受信側の受け手の都合のよくない時間帯、例えば、深夜、夜中などの時間帯を避けて他の端末が受信するため、受信側の受け手の都合のよくない時間帯に送信側のユーザーの端末からの電子メールなどのメッセージの受信に起因したお知らせ音が鳴ることを回避することができる。
【００１５】
本請求項２に係る発明のメッセージ送受信アプリケーションソフトウェアによれば、請求項１に係る発明が奏する効果に加えて、ユーザーが所望の設定を複数の設定から選択するだけで送信予約日時または所定時間後送信の条件が選択されるため、ユーザーは送信予約日時または所定時間後送信を簡単に設定することができる。
【００１６】
本請求項３に係る発明のメッセージ送受信アプリケーションソフトウェアによれば、請求項２に係る発明が奏する効果に加えて、送信側であるユーザーを基準にした予約送信日時が設定表示され、受信側が国内であればユーザーと同じ基準にした予約送信日時が設定表示され、もしくは、受信側が海外であれば、受信側を基準にした予約送信日時が設定表示され、または、単純に現在時刻から何時間後に送信するかが設定表示されるため、ユーザーは受信側を考慮して予約送信日時または所定時間後送信の所定時間を簡単に設定することができる。
【００１７】
本請求項４に係る発明のメッセージ送受信アプリケーションソフトウェアによれば、請求項２または請求項３に係る発明が奏する効果に加えて、ユーザーがよく使用する所望の内容に設定を変更自在に表示されるため、ユーザーは使用頻度の多い条件内容を簡単に設定登録することができ、送信予約ボタンを押したとき、送信予約日時または所定時間後送信について所望の内容を表示部に表示させることができる。
【００１８】
本請求項５に係る発明のメッセージ送受信アプリケーションソフトウェアによれば、請求項１乃至請求項４のいずれか１つに係る発明が奏する効果に加えて、予約送信の設定後から送信前のタイミングで予約送信の設定を変更したい場合、予約送信の設定後から送信前は予約送信トレイに電子メールが保存されているため、ユーザーは予約送信トレイを見て簡単に所望の電子メールを探して設定を確認し、必要に応じて設定を変更することができる。
【００１９】
本請求項６に係る発明のメッセージ送受信アプリケーションソフトウェアによれば、請求項１に係る発明が奏する効果に加えて、送信側であるユーザーを基準にした予約送信日時が設定表示され、受信側が国内であればユーザーと同じ基準にした予約送信日時が設定表示され、もしくは、受信側が海外であれば、受信側を基準にした予約送信日時が設定表示され、または、単純に現在時刻から何時間後に送信するかが設定表示されるため、ユーザーは受信側を考慮して予約送信日時または所定時間後送信の所定時間を簡単に設定することができる。
【００２０】
本請求項７に係る発明のメッセージ送受信アプリケーションソフトウェアによれば、請求項１乃至請求項４および請求項６に係る発明が奏する効果に加えて、同一の相手と同一のウィンドウで対話する形式である場合、相手側である受信側の他の端末に送信側であるユーザーが送信予約を設定した旨が表示されるため、相手側がメッセージを入力することを躊躇させてメッセージのやりとりを一時中断させることができる。
【図面の簡単な説明】
【００２１】
【図１】本発明の第１実施例であるメールブラウザアプリケーションを備えたメッセージ送受信システムを示す概念図。
【図２】本発明の第１実施例であるメールブラウザアプリケーションの動作を示すチャート図。
【図３】本発明の第１実施例であるユーザーのコンピュータ端末において予約送信アイコンが押されたときの様子を示す図。
【図４】（Ａ）（Ｂ）は本発明の第１実施例であるユーザーのコンピュータ端末において予約送信アイコンが押されてから「指定時間に送信予約」の項目が選択されたときの様子を示す図。
【図５】本発明の第１実施例であるユーザーのコンピュータ端末において予約送信アイコンが押されてから「メニュー設定」の項目が選択されたときの様子を示す図。
【図６】本発明の第１実施例であるユーザーのコンピュータ端末において予約送信ラベルが選択されたときの様子を示す図。
【図７】（Ａ）（Ｂ）は本発明の第２実施例であるユーザーのスマートフォン端末においてメッセージの送信予約を設定する際の様子を示す図。
【図８】（Ａ）（Ｂ）は本発明の第２実施例であるユーザーのスマートフォン端末において送信予約されたメッセージの送信を実行した際の様子を示す図。
【図９】本発明の第３実施例であるメッセージ送受信システムの概念図。
【発明を実施するための形態】
【００２２】
本発明のメッセージ送受信アプリケーションソフトウェアは、ユーザー端末において送信しようとする送信メッセージが指定されて送信予約日時または所定時間後送信の条件が選択または入力されたか否かを判定する予約送信タイミング選択・入力判定ステップと、選択または入力された予約送信タイミングの条件および指定された送信メッセージを保存する条件保存ステップと、ユーザー端末の時間制御手段にアクセスして現在時刻が送信予約日時になったか否か、または、現在時刻に基づいて設定時から所定時間経過したか否かを判定する時刻判定ステップと、送信予約日時になった、または、所定時間経過したと判定したとき、送信メッセージを送信する送信ステップとをユーザー端末に実行させることにより、受信側である他の端末においてユーザーの端末から送信されたメッセージデータをユーザー端末のユーザーが意図した時間帯に受信させ、受信側の受け手の都合のよくない時間帯に送信側のユーザーの端末からの電子メールなどのメッセージの受信に起因したお知らせ音が鳴ることを回避することができるものであれば、その具体的な実施態様は、如何なるものであっても構わない。
【００２３】
例えば、ユーザー端末は、デスクトップ型パーソナルコンピュータ端末、ノート型パーソナルコンピュータ端末、スマートフォン端末、タブレット端末、人工知能制御手段を有する人工知能スピーカ端末など、メッセージ送受信アプリケーションソフトウェアを実行するものであって、所謂インターネットである広域ネットワーク、ローカルネットワーク、電話回線などを含む通信ネットワークにより他の端末と直接またはサーバを介して間接的に接続してメッセージデータや画像データを送受信するものであれば如何なるものであっても構わない。
また、メッセージ送受信アプリケーションソフトウェアの概念には、メッセージ送受信アプリケーションソフトウェア自体だけでなく、メッセージ送受信アプリケーションソフトウェアの機能を拡張するメッセージ送受信アプリケーションソフトウェア追加用アドオンプログラム（以下、追加用アドオンプログラム）が含まれるものとする。
さらに、メッセージ送受信アプリケーションソフトウェアは、電子メールを送受信するものや、同一の相手に対して同一のウィンドウで順次対話が追加表示される所謂チャット形式のものなど、メッセージデータを送受信するものであれば如何なるものであっても構わない。
また、メッセージのデータ形式は、テキストデータ形式、音声データ形式、音声および動画のビデオデータ形式でもよい。
【実施例１】
【００２４】
以下に、本発明のメッセージ送受信アプリケーションソフトウェアの第１実施例であるメールブラウザアプリケーションについて、図１乃至図６に基づいて説明する。
ここで、図１は、本発明の第１実施例であるメールブラウザアプリケーションを備えたメッセージ送受信システム１００を示す概念図であり、図２は、本発明の第１実施例であるメールブラウザアプリケーションの動作を示すチャート図であり、図３は、本発明の第１実施例であるユーザーのコンピュータ端末１１０において予約送信アイコン１１５が押されたときの様子を示す図であり、図４（Ａ）は、本発明の第１実施例であるユーザーのコンピュータ端末１１０において予約送信アイコン１１５が押されてから「指定時間に送信予約」の項目１１６Ａが選択されて「日時」の項目１１７Ａが選択されたときの様子を示す図であり、図４（Ｂ）は、本発明の第１実施例であるユーザーのコンピュータ端末１１０において予約送信アイコン１１５が押されてから「指定時間に送信予約」の項目１１６Ａが選択されて「時間」の項目１１７Ｂが選択されたときの様子を示す図であり、図５は、本発明の第１実施例であるユーザーのコンピュータ端末１１０において予約送信アイコン１１５が押されてから「メニュー設定」の項目１１６Ｂが選択されたときの様子を示す図であり、図６は、本発明の第１実施例であるユーザーのコンピュータ端末１１０において「予約送信ラベル」の項目１１９が選択されたときの様子を示す図である。
【００２５】
本発明のメッセージ送受信アプリケーションソフトウェアを有した第１実施例であるメッセージ送受信システム１００は、図１に示すように、ユーザーの端末の一例であるコンピュータ端末１１０と、相手側の他の端末であるノート型コンピュータ端末１２０と、サーバ１３０とを備えている。
ユーザーのコンピュータ端末１１０には、本発明のメッセージ送受信アプリケーションソフトウェアの一例であるメールブラウザアプリケーションがインストールされている。
ユーザーのコンピュータ端末１１０は、メールブラウザアプリケーションを用いることにより、サーバ１３０を介して一例として相手側のノート型コンピュータ端末１２０との間において、メッセージデータの一例である電子メールの送受信を行うことができるように構成されている。
【００２６】
ユーザーのコンピュータ端末１１０において、メールブラウザアプリケーションを起動させると、ユーザーのコンピュータ端末１１０の表示部１１１にメールブラウザ１１２が表示される。
そして、ユーザーがメールブラウザ１１２における「受信トレイ」の項目１１３を選択する操作をすることにより、メールブラウザ１１２には、例えば、受信トレイの中身が表示される。
さらに、ユーザーが「作成」ボタンを押す（クリックする）または新規メッセージ作成のショートカットキーなどの操作をすると、新規メッセージウィンドウ１１４が表示される。
本実施例では、新規メッセージウィンドウ１１４に送信予約ボタンである予約送信アイコン１１５が表示されるように構成されている。
【００２７】
ユーザーは、新規メッセージウィンドウ１１４に電子メールの宛先、件名、本文メッセージを入力する。
例えば、夜中の０：２３に入力した場合、通常の送信ボタンを押してメッセージデータを送信すると、夜中の０：２３から数秒〜数分後には、サーバ１３０を介して相手側のノート型コンピュータ端末１２０にメッセージデータが到達してしまい、ノート型コンピュータ端末１２０が電子メールを受信したことに起因するお知らせ音を発して、寝ている相手を起こしてしまう虞がある。
【００２８】
そこで、ユーザーは、ユーザーのコンピュータ端末１１０において送信しようとする送信メッセージＢＭの新規メッセージウィンドウ１１４に表示された本発明の予約送信アイコン１１５を選択して押す。
ここで、新規メッセージウィンドウ１１４毎に送信メッセージＢＭと予約送信アイコン１１５とがセットになるため、送信予約したい送信メッセージＢＭの新規メッセージウィンドウ１１４の予約送信アイコン１１５を選択すると、送信メッセージＢＭを指定したことになる。
【００２９】
送信予約について、メールブラウザアプリケーションの動作について詳しく説明する。
図２に示すように、ステップＳ１では、送信予約選択判定ステップとして、ユーザーのコンピュータ端末１１０の表示部１１１に表示された送信メールメッセージウィンドウの一例である新規メッセージウィンドウ１１４または返信メッセージウィンドウに表示された予約送信アイコン１１５が選択されて押されたか否かを、ユーザーのコンピュータ端末１１０の制御部（メールブラウザアプリケーション）が判定する。
予約送信アイコン１１５が選択されて押されたと判定した場合はステップＳ２へ進み、他方、まだ押されていないと判定した場合はステップＳ１を繰り返す。
【００３０】
予約送信アイコン１１５が選択されて押されたとき、図３に示すように、第１条件表示ステップとして、ユーザーのコンピュータ端末１１０の制御部（メールブラウザアプリケーション）が、送信予約日時または所定時間後送信についての複数の項目を選択自在に表示部１１１に表示する。
具体的には、送信予約日時または所定時間後送信についての複数の項目を選択自在な条件等選択ウィンドウ１１６を表示部１１１に表示する。
条件等選択ウィンドウ１１６には、一例として、「１時間後に送信」、「２時間後に送信」、「４時間後に送信」、「明日送信」、「２日後に送信」、「指定時間に送信予約」、「メニュー設定」のそれぞれ項目がある。
【００３１】
そして、ユーザーによって、「１時間後に送信」の項目が選択されると、現在の時刻を基準として１時間後に送信する内容の条件が設定される。
同様に、「２時間後に送信」の項目が選択されると、現在の時刻を基準として２時間後に送信する内容の条件が設定され、「４時間後に送信」の項目が選択されると、現在の時刻を基準として４時間後に送信する内容の条件が設定され、「明日送信」の項目が選択されると、現在の時刻を基準として２４時間後（１日後）に送信する内容の条件が設定され、「２日後に送信」の項目が選択されると、現在の時刻を基準として４８時間後（２日後）に送信する内容の条件が設定される。
【００３２】
また、ユーザーによって、図４（Ａ）または図４（Ｂ）に示すように、送信予約の時間を指定する旨の「指定時間に送信予約」の項目１１６Ａが選択されると、第２条件表示ステップとして、ユーザーのコンピュータ端末１１０の制御部（メールブラウザアプリケーション）が、ユーザーのコンピュータ端末１１０の時間制御手段の現在時刻を基準とした送信予約日時、もしくは、世界都市の標準時刻を基準とした送信予約日時を指定自在、または、所定時間後送信の所定時間を指定自在に表示部１１１に表示する。
具体的には、送信予約日時、または、所定時間後送信の所定時間を指定自在な日時・時間指定ウィンドウ１１７を表示部１１１に表示する。
図４（Ａ）に示す日時・時間指定ウィンドウ１１７では、送信したい年月日、ユーザーのコンピュータ端末１１０が位置する国または都市の時刻、または世界主要都市の時刻が指定自在に表示される。
なお、ユーザーのコンピュータ端末１１０が位置する国または都市の時刻と、世界主要都市の時刻とはリンクしており、一方を変更すると他方を変更されるように構成されている。
【００３３】
そして、ユーザーによって指定されてＯＫボタンが押されると、指定された条件が設定される。
図４（Ｂ）に示す日時・時間指定ウィンドウ１１７では、何時間後、何分後、何日後が指定自在に表示される。
そして、ユーザーによって指定されてＯＫボタンが押されると、指定された条件が設定される。
【００３４】
なお、図４（Ｂ）に示す日時・時間指定ウィンドウ１１７において、選択ボタンである所謂ラジオボタンを「日時」の項目１１７Ａに切り替えると、図４（Ａ）に示す日時・時間指定ウィンドウ１１７の表示に切り替わるように構成されている。
同様に、図４（Ａ）に示す日時・時間指定ウィンドウ１１７において、ラジオボタンを「時間」の項目１１７Ｂに切り替えると、図４（Ｂ）に示す日時・時間指定ウィンドウ１１７の表示に切り替わるように構成されている。
【００３５】
また、図５に示すように、条件等選択ウィンドウ１１６のメニュー設定の旨の「メニュー設定」の項目１１６Ｂが選択されると、条件編集画面表示ステップとして、ユーザーのコンピュータ端末１１０の制御部（メールブラウザアプリケーション）が、予約送信アイコン１１５が押されたときに表示される条件等選択ウィンドウ１１６の複数の項目について設定変更自在に表示する。
具体的には、メニュー設定ウィンドウ１１８を、表示部１１１に表示する。
メニュー設定ウィンドウ１１８には、条件等選択ウィンドウ１１６における「指定時間に送信予約」の項目１１６Ａより上の表示項目について変更・追加・削除自在に表示されるように構成されている。
ユーザーは、よく使用する条件を設定することができる。
メニュー設定ウィンドウ１１８において条件が変更されると、予約送信アイコン１１５が選択されて次回に条件等選択ウィンドウ１１６が表示部１１１に表示されたときに反映されるため、ユーザーにとって使い勝手がよい。
【００３６】
ステップＳ２では、予約送信タイミング選択・入力判定ステップとして、ユーザーのコンピュータ端末１１０において送信しようとする送信メッセージＢＭが指定されて送信予約日時または所定時間後送信の条件が選択または入力されたか否かを、ユーザーのコンピュータ端末１１０の制御部（メールブラウザアプリケーション）が判定する。
例えば、ユーザーが「４時間後に送信」の条件を選択した場合、ユーザー操作の入力に基づいて、「４時間後に送信」の条件が選択されたと、ユーザーのコンピュータ端末１１０の制御部（メールブラウザアプリケーション）が判定する。
送信メッセージＢＭが指定されて送信予約日時または所定時間後送信の条件が選択または入力されたと判定した場合はステップＳ３へ進み、他方、まだ選択されていないと判定した場合はステップＳ２を繰り返す。
【００３７】
ステップＳ３では、条件保存ステップとして、ユーザーのコンピュータ端末１１０の制御部（メールブラウザアプリケーション）が、ステップＳ２で選択・入力された条件およびメッセージＢＭをセットで記憶部に保存する。
なお、保存先は、ユーザーのコンピュータ端末１１０の記憶部でもよいし、サーバ１３０の記憶部でもよい。
【００３８】
また、送信メッセージＢＭが指定されて送信予約日時または所定時間後送信の条件が選択されると、トレイ移動ステップとして、図６に示すように、ユーザーのコンピュータ端末１１０の制御部（メールブラウザアプリケーション）が、送信メッセージＢＭを予約送信トレイに移動して保存する。
具体的には、送信メッセージＢＭを下書きトレイに移動するとともに予約送信ラベルを付して保存する。
したがって、「予約送信ラベル」の項目１１９を選択すると、送信予約を設定した送信メッセージＢＭの一覧が表示される。
その結果、ユーザーは、必要に応じて予約送信の条件を確認することができ、また、予約送信の条件を変更することもできる。
そして、ステップＳ４へ進む。
【００３９】
ステップＳ４では、時刻判定ステップとして、ユーザーのコンピュータ端末１１０の時間制御手段にアクセスして現在時刻が送信予約日時になったか否か、または、現在時刻に基づいて設定時から所定時間経過したか否かを、ユーザーのコンピュータ端末１１０の制御部（メールブラウザアプリケーション）が判定する。
例えば、上記ステップＳ２において、「４時間後に送信」の条件が選択されて設定された場合、設定した時刻から４時間経過したか否かを判定する。
現在時刻が送信予約日時になった、または、現在時刻に基づいて設定時から所定時間経過したと判定した場合はステップＳ５へ進み、他方、否と判定した場合はステップＳ４を繰り返す。
【００４０】
ステップＳ５では、送信ステップとして、ユーザーのコンピュータ端末１１０の制御部（メールブラウザアプリケーション）が、送信メッセージＢＭを送信する。
これにより、送信側であるユーザーのコンピュータ端末１１０において選択されたメッセージＢＭがすぐに送信されずに予約設定された日時または所定時間経過したときにメッセージＢＭのデータの送信が実行される。
その結果、受信側である他の端末の一例であるノート型コンピュータ端末１２０においてユーザーのコンピュータ端末１１０から送信されたメッセージＢＭのデータをコンピュータ端末１１０のユーザーが意図した時間帯に受信させることができる。
【００４１】
つまり、送信側のユーザーは受信側の受け手の都合を考慮して都合のよくない時間帯、例えば、深夜、夜中などの時間帯を避けて送信が実行され、受信側の受け手の都合のよくない時間帯、例えば、深夜、夜中などの時間帯を避けてノート型コンピュータ端末１２０が受信する。
その結果、受信側の受け手の都合のよくない時間帯に送信側のユーザーのコンピュータ端末１１０からの電子メールなどのメッセージＢＭの受信に起因したお知らせ音が鳴ることを回避することができる。
【００４２】
なお、本実施例では、予約送信アイコン１１５が選択されて押されてたときに、送信予約日時または所定時間後送信の条件が選択自在になるように構成したが、例えば、１２時間後に送信されるアイコンを設けて、ステップＳ１を省略して最初から送信予約日時または所定時間後送信の条件が選択されるように構成してもよい。
また、予約送信アイコン１１５が選択されて押されてたときに、日時・時間指定ウィンドウ１１７が表示されて予約送信の条件を設定自在に構成してもよい。
また、本発明の予約送信アイコン１１５を有しないメールブラウザである場合、ユーザーのコンピュータ端末１１０に追加用アドオンプログラムをインストールすることにより、本発明の予約送信アイコン１１５が新規メッセージウィンドウ１１４に表示されるようになる。
【００４３】
このようにして得られた本発明の第１実施例であるメッセージ送受信アプリケーションソフトウェアの一例であるメールブラウザアプリケーションは、ユーザー端末の一例であるユーザーのコンピュータ端末１１０と他の端末の一例であるノート型コンピュータ端末１２０との間でメッセージデータを送受信するものであって、ユーザーのコンピュータ端末１１０において送信しようとする送信メッセージＢＭが指定されて送信予約日時または所定時間後送信の条件が選択または入力されたか否かを判定する予約送信タイミング選択・入力判定ステップＳ２と、選択または入力された予約送信タイミングの条件および指定された送信メッセージＢＭを保存する条件保存ステップＳ３と、ユーザーのコンピュータ端末１１０の時間制御手段にアクセスして現在時刻が送信予約日時になったか否か、または、現在時刻に基づいて設定時から所定時間経過したか否かを判定する時刻判定ステップＳ４と、送信予約日時になった、または、所定時間経過したと判定したとき、送信メッセージＢＭを送信する送信ステップＳ５とをユーザー端末に実行させることにより、受信側である他のノート型コンピュータ端末１２０においてユーザーのコンピュータ端末１１０から送信されたメッセージＢＭのデータをコンピュータ端末１１０のユーザーが意図した時間帯に受信させることができるとともに、受信側の受け手の都合のよくない時間帯に送信側のユーザーのコンピュータ端末１１０からの電子メールなどのメッセージＢＭの受信に起因したお知らせ音が鳴ることを回避することができる。
【００４４】
さらに、メールブラウザアプリケーションは、ユーザーのコンピュータ端末１１０の表示部１１１に表示された送信メッセージウィンドウの一例である新規メッセージウィンドウ１１４に表示された送信予約ボタンである予約送信アイコン１１５が押されたか否かを判定する送信予約選択判定ステップＳ１と、予約送信アイコン１１５が押されたとき、送信予約日時または所定時間後送信についての複数の項目を選択自在に条件等選択ウィンドウ１１６として表示部１１１に表示する第１条件表示ステップとをさらに具備していることにより、ユーザーは送信予約日時または所定時間後送信を簡単に設定することができる。
【００４５】
また、メールブラウザアプリケーションは、第１条件表示ステップにおいて、送信予約の時間を指定する旨の「指定時間に送信予約」の項目１１６Ａを選択自在に条件等選択ウィンドウ１１６として表示部１１１に表示する構成であり、「指定時間に送信予約」の項目１１６Ａが選択されると、ユーザーのコンピュータ端末１１０の時間制御手段の現在時刻を基準とした送信予約日時、もしくは、世界都市の標準時刻を基準とした送信予約日時を指定自在、または、所定時間後送信の所定時間を指定自在に日時・時間指定ウィンドウ１１７として表示部１１１に表示する第２条件表示ステップをさらに具備していることにより、ユーザーは受信側を考慮して予約送信日時または所定時間後送信の所定時間を簡単に設定することができる。
【００４６】
さらに、メールブラウザアプリケーションは、第１条件表示ステップにおいて、メニュー設定の旨の「メニュー設定」の項目１１６Ｂを選択自在に条件等選択ウィンドウ１１６として表示部１１１に表示する構成であり、「メニュー設定」の項目１１６Ｂが選択されると、予約送信アイコン１１５が押されたときに表示される条件等選択ウィンドウ１１６の複数の項目について設定変更自在にメニュー設定ウィンドウ１１８として表示する条件編集画面表示ステップをさらに具備していることにより、ユーザーは使用頻度の多い条件内容を簡単に設定登録することができ、予約送信アイコン１１５を押したとき、送信予約日時または所定時間後送信について所望の内容を表示部１１１に表示させることができる。
【００４７】
また、メールブラウザアプリケーションにおいて、メッセージデータが電子メールのメッセージデータであり、メールブラウザアプリケーションは、送信予約日時または所定時間後送信の条件が選択または入力されたとき、送信メッセージＢＭを予約送信トレイである予約送信ラベルのトレイ（下書き・予約送信トレイ）に移動して保存するトレイ移動ステップをさらに具備していることにより、ユーザーは「予約送信ラベル」の項目１１９（下書き・予約送信トレイ）を見て簡単に所望の電子メールを探して設定を確認し、必要に応じて設定を変更することができる。
【００４８】
さらに、メールブラウザアプリケーションは、ユーザーのコンピュータ端末１１０の表示部１１１に表示された送信メッセージウィンドウの一例である新規メッセージウィンドウ１１４に表示された送信予約ボタンである予約送信アイコン１１５が押されたか否かを判定する送信予約選択判定ステップＳ１と、予約送信アイコン１１５が押されたとき、ユーザーのコンピュータ端末１１０の時間制御手段の現在時刻を基準とした送信予約日時、もしくは、世界都市の標準時刻を基準とした送信予約日時を指定自在、または、所定時間後送信の所定時間を指定自在に日時・時間指定ウィンドウ１１７として表示部１１１に表示する条件表示ステップをさらに具備していることにより、ユーザーは受信側を考慮して予約送信日時または所定時間後送信の所定時間を簡単に設定することができるなど、その効果は甚大である。
【実施例２】
【００４９】
続いて、本発明のメッセージ送受信アプリケーションソフトウェアの第２実施例であるチャットアプリケーションについて、図７（Ａ）乃至図８（Ｂ）に基づいて説明する。
ここで、図７（Ａ）は、本発明の第２実施例であるユーザーのスマートフォン端末２１０においてユーザーがメッセージＢＭを入力して送信予約を設定するときの様子を示す図であり、図７（Ｂ）は、本発明の第２実施例であるユーザーのスマートフォン端末２１０において送信予約が設定されたときの様子を示す図であり、図８（Ａ）は、本発明の第２実施例であるユーザーのスマートフォン端末２１０において送信予約されたメッセージＢＭの送信を実行したときの様子を示す図であり、図８（Ｂ）は、本発明の第２実施例であるユーザーのスマートフォン端末２１０において送信予約されたメッセージＢＭの送信後に相手側からのメッセージを受信したときの様子を示す図である。
【００５０】
第２実施例のメッセージ送受信アプリケーションソフトウェアは、第１実施例のメッセージ送受信アプリケーションソフトウェアの電子メールの送信用メッセージデータがウィンドウ毎に表示される形式をチャットのメッセージデータが同一の相手と同一のウィンドウで対話する形式に変更したものであり、多くの要素について第１実施例のメッセージ送受信アプリケーションソフトウェアと共通するので、共通する事項については詳しい説明を省略し、下２桁が共通する２００番台の符号を付すのみとする。
【００５１】
図７（Ａ）に示すように、ユーザー端末の一例であるユーザー田中さんのスマートフォン端末２１０の表示部２１１には、メッセージ送受信アプリケーションソフトウェアの一例であるチャットアプリケーションのトーク画面２１２が表示されている。
トーク画面２１２には、ユーザーである田中さんと相手側の伊藤さんとのやりとりのメッセージが表示されている。
ここで、夜遅いので、ユーザー田中さんは、トーク画面２１２のメッセージ入力欄２１３にメッセージＢＭの一例として「今日、一緒にランチどう？」を入力し、前述した第１実施例と同様、トーク画面２１２に表示された予約送信アイコン２１４を選択して押す。
送信予約日時または所定時間後送信の条件の選択または入力、および保存については、前述した第１実施例と同様なので、その詳しい説明を省略する。
【００５２】
そして、一例として、翌日の朝８：００に送信するように設定したとする。
すると、図７（Ｂ）に示すように、送信予約設定通知ステップとして、ユーザーのスマートフォン端末２１０の制御部（チャットアプリケーション）が、送信予約の設定がされた旨を相手側である伊藤さんの端末（図示せず）に対して送信する。
これにより、予約送信設定の旨の通知２１５の一例として「田中さんが予約送信を設定しました」が、ユーザー田中さんのスマートフォン端末２１０の表示部２１１のトーク画面２１２、および、相手側である伊藤さんの端末の表示部のトーク画面に表示される。
【００５３】
この際、予約送信設定の旨の通知２１５は、チャットのメッセージではないので、伊藤さんの端末は、お知らせ音を発しない。
その結果、相手側である伊藤さんがメッセージを入力することを躊躇させてメッセージのやりとりを一時中断させることができる。
さらに、相手側である伊藤さんが寝ている場合であっても、伊藤さんの端末のお知らせ音やバイブレーションの振動により伊藤さんを起こしてしまうことを回避することができる。
なお、予約送信設定の旨の通知２１５に、予約送信の予定時刻の情報を加えてもよい。
これにより、相手側である伊藤さんの端末に予約送信の予定時刻の情報が表示される。
その結果、相手側である伊藤さんがメッセージの入力をいつまで待った方がよいかを知ることができる。
１対１の２人でやりとりするチャットに限らず、３人以上のグループでやりとりするチャットでも有効である。
【００５４】
そして、現在時刻が予約送信で設定された時刻になったと、ユーザーのスマートフォン端末２１０の制御部（チャットアプリケーション）が判定したとき、ユーザーのスマートフォン端末２１０の制御部（チャットアプリケーション）が、送信予約されたメッセージＢＭの送信を実行する。
すると、図８（Ａ）に示すように、送信されたメッセージＢＭ「今日、一緒にランチどう？」が、ユーザー田中さんのスマートフォン端末２１０の表示部２１１のトーク画面２１２、および、相手側である伊藤さんの端末の表示部のトーク画面（図示せず）に表示される。
これにより、図８（Ｂ）に示すように、相手側である伊藤さんがメッセージを返信してトークが再開され、伊藤さんからのメッセージが、ユーザー田中さんのスマートフォン端末２１０の表示部２１１のトーク画面２１２に表示される。
【００５５】
このようにして得られた本発明のメッセージ送受信アプリケーションソフトウェアの第２実施例であるチャットアプリケーションにおいて、メッセージデータが同一の相手と同一のウィンドウで対話する形式のチャットのメッセージデータであり、チャットアプリケーションは、ユーザーのスマートフォン端末２１０において送信しようとする送信メッセージＢＭが指定されて送信予約日時または所定時間後送信の条件が選択または入力されたか否かを判定する予約送信タイミング選択・入力判定ステップＳ２と、選択または入力された予約送信タイミングの条件および指定された送信メッセージＢＭを保存する条件保存ステップＳ３と、送信予約日時または所定時間後送信の条件が選択されたとき、送信予約が設定された旨（２１５）を他の端末に対して送信する送信予約設定通知ステップと、ユーザーのスマートフォン端末２１０の時間制御手段にアクセスして現在時刻が送信予約日時になったか否か、または、現在時刻に基づいて設定時から所定時間経過したか否かを判定する時刻判定ステップＳ４と、送信予約日時になった、または、所定時間経過したと判定したとき、送信メッセージＢＭを送信する送信ステップＳ５とを具備していることにより、相手側がメッセージを入力することを躊躇させてメッセージのやりとりを一時中断させることができるなど、その効果は甚大である。
【実施例３】
【００５６】
続いて、本発明のメッセージ送受信アプリケーションソフトウェアの第３実施例であるメッセージ送受信システム３００について、図９に基づいて説明する。
ここで、図９は、本発明の第３実施例であるメッセージ送受信システム３００の概念図である。
第３実施例のメッセージ送受信システム３００は、第１実施例のメッセージ送受信システム１００のユーザーのコンピュータ端末１１０を人工知能スピーカ端末３１０に変更したものであり、多くの要素について第１実施例のメッセージ送受信システム１００と共通するので、共通する事項については詳しい説明を省略し、下２桁が共通する３００番台の符号を付すのみとする。
【００５７】
本発明のメッセージ送受信アプリケーションソフトウェアを有した第１実施例であるメッセージ送受信システム３００は、図９に示すように、ユーザーの端末の一例である人工知能スピーカ端末３１０と、相手側の他の端末であるノート型コンピュータ端末３２０と、サーバ３３０とを備えている。
ユーザーの人工知能スピーカ端末３１０には、本発明のメッセージ送受信アプリケーションソフトウェアがインストールされている。
人工知能スピーカ端末３１０は、スピーカと、マイクと、制御部と、記憶部、時間制御手段、通信手段とを備えている。
ユーザーが、人工知能スピーカ端末３１０に対して、メッセージの宛先、件名、本文を、マイクを介して音声で入力する。
【００５８】
そして、送信予約を設定する旨を音声で入力し、さらに、送信予約日時または所定時間後送信の条件を音声で入力する。
例えば、「今のメールを明日の朝８：００に送信して！」の旨を音声で入力する。
すると、予約送信タイミング選択・入力判定ステップＳ２として、ユーザーの人工知能スピーカ端末３１０において送信しようとする送信メッセージＢＭが指定されて送信予約日時または所定時間後送信の条件が選択または入力されたか否かを、ユーザーの人工知能スピーカ端末３１０の制御部（メッセージ送受信アプリケーションソフトウェア）が判定する。
そして、条件が選択または入力されたとき、条件保存ステップＳ３として、そのメッセージＢＭおよび条件をセットで記憶部に保存する。
【００５９】
次に、時刻判定ステップＳ４として、ユーザーの人工知能スピーカ端末３１０の時間制御手段にアクセスして現在時刻が送信予約日時になったか否か、または、現在時刻に基づいて設定時から所定時間経過したか否かを、ユーザーの人工知能スピーカ端末３１０の制御部（メッセージ送受信アプリケーションソフトウェア）が判定する。
例えば、「明日の朝８：００に送信」の条件が選択されて設定された場合、設定された日付を基準に明日の朝８：００になったか否かを判定する。
そして、明日の朝８：００になったとき、送信ステップＳ５として、ユーザーの人工知能スピーカ端末３１０の制御部（メッセージ送受信アプリケーションソフトウェア）が、送信メッセージＢＭを送信する。
これにより、前述した第１実施例のメッセージ送受信システム１００と同様の作用効果を得ることができる。
【符号の説明】
【００６０】
１００  ・・・  メッセージ送受信システム
１１０  ・・・  ユーザーのコンピュータ端末（ユーザー端末）
１１１  ・・・  表示部
１１２  ・・・  メールブラウザ
１１３  ・・・  「受信トレイ」の項目
１１４  ・・・  新規メッセージウィンドウ
１１５  ・・・  予約送信アイコン（送信予約ボタン）
１１６  ・・・  条件等選択ウィンドウ
１１６Ａ・・・  「指定時間に送信予約」の項目
１１６Ｂ・・・  「メニュー設定」の項目
１１７  ・・・  日時・時間指定ウィンドウ
１１７Ａ・・・  「日時」の項目
１１７Ｂ・・・  「時間」の項目
１１８  ・・・  メニュー設定ウィンドウ
１１９  ・・・  「予約送信ラベル（下書き・予約送信トレイ）」の項目
１２０  ・・・  （相手側の）ノート型コンピュータ端末（他の端末）
１３０  ・・・  サーバ
２１０  ・・・  ユーザーのスマートフォン端末（ユーザー端末）
２１１  ・・・  表示部
２１２  ・・・  トーク画面
２１３  ・・・  メッセージ入力欄
２１４  ・・・  予約送信アイコン（送信予約ボタン）
２１５  ・・・  予約送信設定の旨の通知
３００  ・・・  メッセージ送受信システム
３１０  ・・・  人工知能スピーカ端末（ユーザー端末）
３２０  ・・・  （相手側の）ノート型コンピュータ端末（他の端末）
３３０  ・・・  サーバ
ＢＭ    ・・・  予約送信が設定される（された）メッセージ（送信メッセージ）
【図１】
2020024589.tif 000003
【図２】
2020024589.tif 000004
【図３】
2020024589.tif 000005
【図４】
2020024589.tif 000006
【図５】
2020024589.tif 000007
【図６】
2020024589.tif 000008
【図７】
2020024589.tif 000009
【図８】
2020024589.tif 000010
【図９】
2020024589.tif 000011